(57)【要約】【課題】簡単な手段によって、警報を行うことが可能な落下防止警報装置、スタジオ用警報装置およびスタジオ装置を提供する。【解決手段】落下防止警報装置１０は、本体１１と報知手段１５、１６を具備する。本体１１は、可撓性を有する平板状をなし、人が落下する虞のある段の内部および人が進入する段の縁部の間に、その可撓性を利用して出し入れ可能に設けられる。報知手段１５、１６は、本体に設けられ警報を発する。【選択図】        図１
2014160364.tif 000002
【特許請求の範囲】
【請求項１】
可撓性を有する平板状をなし、人が落下する虞のある段の内部および人が進入する段の縁部の間に、その可撓性を利用して出し入れ可能に設けられた本体と；
本体に設けられ警報を発する報知手段と；
を具備していることを特徴とする落下防止警報装置。
【請求項２】
可撓性を有する平板状をなし、ホリゾント面を有するスタジオのロアーホリゾントピットに対し、その可撓性を利用して出し入れ可能に設けられた本体と；
本体に設けられ警報を発する報知手段と；
を具備していることを特徴とするスタジオ用警報装置。
【請求項３】
前記報知手段は、本体に設けられた足を踏むことによって報知情報を生成するセンサによって警報を発するようにしたことを特徴とする請求項２に記載のスタジオ用警報装置。
【請求項４】
ホリゾント面と；
ホリゾント面とフロアとの境に設けられたロアーホリゾントピットと；
ロアーホリゾントピットに出し入れ可能に設けられた請求項２または３に記載のスタジオ用警報装置と；
を具備していることを特徴とするスタジオ装置。
【発明の詳細な説明】
【技術分野】
【０００１】
本発明の実施形態は、テレビスタジオ等に用いられ、人に対し警報を発するための落下防止警報装置、スタジオ用警報装置およびスタジオ装置に関する。
【背景技術】
【０００２】
一般に、テレビスタジオ等のスタジオ装置は、図４の平面図に代表して示すように、壁面には、白い壁で構成されたホリゾント面Ｈが建てられ、このホリゾント面に上下方向からローホリゾントライトＬで照明を当てることによって、例えば、夜明けから夕暮れまでの空の変化を印象的に連続再現したり、地と空の渾然とした無限の光空間を創ることなどが行われている。
【０００３】
また、これら照明装置、特に下から照明を行うためのローホリゾントライトＬは、画面から無くすことが必要で、ホリゾント面ＨとフロアＦとの境界には、これら照明装置等を収納するための堀、すなわち、ロアーホリゾントピットＰが形成されている。このロアーホリゾントピットＰは、スタジオ内の壁の略１／２を囲むように設けられたホリゾント面Ｈに沿って、フロアＦから一段低く掘ってある。このロアーホリゾントピットＰの深さは、照明装置等の機械類を完全に収納できる幅と深さが必要で、例えば、幅約１．０ｍ、深さ約０．６ｍ、場合によっては、照明装置を２段にして設置することもあり、深さは１ｍ程度に形成される。
【０００４】
そして、ロアーホリゾントピットＰの中からローホリゾントライトＬによって光を照射することで、スタジオ内が暗くなった状態でフロアＦと壁、すなわち、ホリゾント面Ｈが一体化した無限の光空間等を創りだすことができる。
【先行技術文献】
【特許文献】
【０００５】
【特許文献１】特開２００３−１３５８６８号公報
【特許文献２】特開２００４−１６２４９４号公報
【特許文献３】実開平２−８０８９６号公報
【発明の概要】
【発明が解決しようとする課題】
【０００６】
しかし、スタジオでの撮影は、通常必要のない箇所は暗くなっており、スタッフや出演者が誤ってこのロアーホリゾントピットＰに落下する虞がある。ロアーホリゾントピットＰ内には、ローホリゾントライトＬや他の効果器具、配線関係の機材等が置かれており、落下した場合には怪我をしたり、器具を破損したりする事故が発生する虞がある。
【０００７】
従来は、これら事故を防止するために、ロアーホリゾントピットＰとフロアＦとの境の縁部を盛り上げる手段もあったが、盛り上げた箇所を跨いでしまったり、逆につまずいてしまう虞がある。また、ポールなどを必要に応じて立てて、チェーンやバンドなどでガイドする方法もあるが、ポール等は本番では撮影の邪魔になる箇所を倒さなければならない。また、例えチェーンやベルトがあっても、暗いスタジオでは上方にあるセットなどに気をとられていると、場合によっては乗り越えて落下する虞もある。
【０００８】
これらの問題を解決するためには、ロアーホリゾントピットＰに近づく前に危険を伝えることが必要であり、危険警告エリアに入ったことで警報するためには、カーテンセンサやエリアセンサを設置する方法がある。しかし、スタジオ内のセットは、ロアーホリゾントピットＰの近くまで建てることもあり、セット変更の都度センサの検知領域を調整する必要があり、煩雑な作業となり現実的ではない。また、ホリゾント面Ｈは、通常、境界が見えないように、カーブを描いてスタジオの大半を囲んでいる場合が多く、センサを設置する場所が難しい問題もある。
【０００９】
また、監視カメラを使う方法もセットの位置により、機能しなかったり、台数を増やしたりしなければならない。また、システムも高価になってしまう。人感センサを使う方法は移動体の熱源を利用しているため、さまざまな熱源のあるスタジオでは頻繁に誤動作してしまう可能性がある。
【００１０】
また、警報の方法も、危険感知箇所のライトを付けて光で警報する方法があるが、どちらを向いているか判らない対象者に対して、本番やリハーサル中など、どこに警報照明がされているか判らない状態であり、有効な警報照明をするのは難しい。警報音を出す方法もあるが、ブザーなどではその音が何の警報音であるか知らない場合には効果が無い、まして、本番やリハーサル中など色々な音が出ているときには尚更である。また、スタジオの広い範囲に伝わる警報照明や警報音では、収録や本番を止めてしまう虞がある。
【００１１】
さらに、スタジオには、不慣れな一般見学者が入ることもあり、ロアーホリゾントピットＰへ一般者が落下する虞もある。また、一般見学者においては、知らずにスタジオ内のセットに近づき、セットを倒したり破損させたりする虞もあることから、人が、特に一般見学者がセットに近付けないようにするための警報も行う必要がある。このため、スタジオにおいては、ロアーホリゾントピットＰへの落下を防止するための警報を行うとともに、セット等へ近付けないようにするための警報を如何に簡単な手段によって実現するかが重要な課題となっている。
【００１２】
本発明は、上記の課題に鑑みなされたもので、簡単な手段によって、警報を行うことが可能な落下防止警報装置、スタジオ用警報装置およびスタジオ装置を提供しようとするものである。
【課題を解決するための手段】
【００１３】
本発明の実施形態における落下防止警報装置は、本体と報知手段を具備する。本体は、可撓性を有する平板状をなし、人が落下する虞のある段の内部および人が進入する段の縁部の間に、その可撓性を利用して出し入れ可能に設けられる。報知手段は、本体に設けられ警報を発する。
【発明の効果】
【００１４】
本発明によれば、簡単な手段で、警報を行うことが可能な落下防止警報装置、スタジオ用警報装置およびスタジオ装置を提供することができる。
【図面の簡単な説明】
【００１５】
【図１】本発明の第１実施形態で、落下防止警報装置としてのスタジオ用警報装置を設置した状態のスタジオ装置を示し、（ａ）はスタジオ用警報装置をロアーホリゾントピットから引き出した状態を示す断面図、（ｂ）はスタジオ用警報装置をロアーホリゾントピットに落とし込んだ状態を示す断面図。
【図２】同じくスタジオ用警報装置を示し、（ａ）は正面図、（ｂ）は下面図。
【図３】同じくスタジオ用警報装置の回路ブロック図。
【図４】同じくスタジオ装置の平面図。
【図５】同じくスタジオ用警報装置を設置した状態のスタジオ装置の一部を示す平面図。
【図６】同じくスタジオ用警報装置の変形例を示す正面図。
【図７】本発明の第２実施形態であるスタジオ用警報装置を示し、（ａ）は正面図、（ｂ）は回路ブロック図。
【発明を実施するための形態】
【００１６】
以下、本発明の実施形態について図に従い説明する。
【実施形態１】
【００１７】
本実施形態は、本発明における落下防止警報装置としてのスタジオ用警報装置１０を構成するもので、図１に示すように、人が落下する虞のある段の内部および人が進入する段の縁部の間に、すなわち、スタジオのロアーホリゾントピットＰの内部およびフロアの縁部の間に対し、出し入れ可能に設けられた本体１１と、本体に設けられ、本体内部若しくは外部からの報知情報に応じて警報を発する報知手段１５、１６等で構成される。
【００１８】
本体１１は、図２に示すように、合成樹脂やゴム等の電気絶縁性を有し、かつ一定の剛性を有する柔軟性素材からなるシート１１ａで構成する。このシート１１ａは、矩形状、本実施形態では約１．８ｍ程度の正方形をなす厚さ約５ｍｍ程度の平板状に構成される。
【００１９】
電源部１３は、図３に示すように、報知手段１５、１６の制御を行う制御部１３ａと報知情報の送信、受信を行う送受信部１３ｂで構成する。この電源部１３は、図２に示すように、電気絶縁性を有し、かつ一定の剛性を有する合成樹脂で、細く長い箱体に構成されたケース体１３ｃ内に収納され、シート１１ａの一辺、図２(ａ)において左方の辺に設けられる。
【００２０】
センサ１４は、細く長いテープ状のスイッチやテープ状をなす複数の圧力センサで構成され、シート１１ａの上面に対し一定の略等しい間隔を有してそれぞれが配設される。このセンサ１４は、人が足を踏むことによって、その圧力を検知して報知情報を生成する。
【００２１】
スピーカ１５は、本実施形態の報知手段を構成するもので、センサ１４の報知情報に応じて警報音を発生するための薄型のスピーカで構成される。このスピーカ１５は、図２に示すように、電気絶縁性を有し、かつ一定の剛性を有する合成樹脂で、細く長い箱体に構成されケース体１５ａ内に収納され、シート１１ａの一辺、図２(ａ)において右方の辺に設けられる。また、ケース体１５ａの長手方向上面の略中央部分に、出し入れ用の取手１５ｂが設けられる。
【００２２】
上記のように、電源部１３を収納したケース体１３ｃとスピーカ１５を収納したケース体１５ａは、それぞれの底面がシート１１ａの両辺の上面に対し、接着剤やねじ等の固定手段によって強固に取り付けられる。そして、スピーカ１５を収納したケース体１５ａは、図２（ｂ）の下面図に示すように、シート１１ａの上面から突出して設けられ、後述するローホリゾントピットＰに設けられたガイドバーＧ（図１）に係止するための係止部１５ｃを構成している。
【００２３】
発光体１６は、上記スピーカ１５とともに、本実施形態の報知手段を構成し、センサ１４の報知情報に応じて光を放射するもので、例えば、細く長いテープ状のＬＥＤや有機ＥＬで構成されている。この複数の発光体１６は、上記のように、略一定の間隔を有して配設された複数のセンサ１４の間に配設される。
【００２４】
これらテープ状のセンサ１４と発光体１６は、シート１１ａの表面に対し、接着剤やねじ等の固定手段によって強固に取り付けられる。これにより、本体１１は、複数のセンサ１４と発光体１６が交互に設けられた上面において、センサ１４と発光体１６の境目が折れ線となった鎧戸状に形成され、シート１１ａが柔軟性を有していることと相まって、全体として可撓性を有する平板状をなすように構成される。
【００２５】
なお、図２中１７は永久磁石で構成されたストッパーで、シート１１ａに配設されたセンサ１４のシート１１ａの両端から突出した部分に、接着剤やねじ等の固定手段によって強固に取り付けられている（電源部１３のケース体１３ｃ、発光体１６、スピーカ１５のケース体１５ａに対しても設けてもよい。）。この複数個のストッパー１７は、後述するロアーホリゾントピットＰに設けられた鉄製のガイドバーＧ（図１）に吸着することによって、本体１１を引き出した際に、目的とする所定の位置に停止させることができる。
【００２６】
上記に構成されたスタジオ用警報装置１０は、図３の回路ブロック図に示すように、電源Ｅに接続された制御部１３ａと送受信部１３ｂからなる電源部１３、センサ１４、報知手段であるスピーカ１５および発光部１６を有する。電源Ｅとしては、限定されるものではないが、人が踏む可能性があることから低圧の直流電源であることが好ましい。
【００２７】
制御部１３ａは、マイクロコンピュータ等で構成され、センサ１４から送受信部１３ｂに伝送された検知信号、すなわち、人が指定エリアに入ったことの報知情報に基づき警報音を出すための警報信号や警報光を発光させるための警報信号を生成して送受信部１３ｂに伝送する。
【００２８】
送受信部１３ｂは、制御部１３ａで生成された警報信号を、報知手段であるスピーカ１５と発光体１６に伝送する。そして、スピーカ１５は、伝送された警報信号に基づき所定の警報音を発し、発光体１６は、伝送された警報信号に基づき所定の警報光で発光する。
【００２９】
また、送受信部１３ｂは、スタジオの中央制御室Ｃと有線または無線で接続され、制御部１３ａの制御状態を中央制御室Ｃに伝送するとともに、中央制御室Ｃからの報知情報によって制御部１３ａの遠隔制御が行われる。これにより、本実施形態のスタジオ用警報装置１０は、本体１１内部のセンサ１４と外部の中央制御室Ｃからの報知情報に応じて、音や光によって警報を発することができる。また、中央制御室Ｃと有線で接続する場合には、併せて電源Ｅを供給するための電線を中央制御室Ｃから電源部１３に配線するようにしてもよい。
【００３０】
次に、上記に構成されたスタジオ用警報装置を設置したスタジオ装置の構成につき説明する。
【００３１】
本実施形態のスタジオ装置は、テレビ用のスタジオ装置２０を構成したもので、図４のスタジオ平面図に代表して示すように、壁Ａの約１／２にわたってホリゾント面Ｈが建てられ、ホリゾント面Ｈの手前に、ホリゾント面に沿い略平行してロアーホリゾントピットＰが掘られている。
【００３２】
そして、ロアーホリゾントピットＰ内には、多数のローホリゾントライトＬがフロアＦから見えないように並べられ、下方からホリゾント面に向かって光が放射されるように構成されている。このスタジオ装置２０は、例えば、縦が約１９ｍ、横が１５ｍの広さに構成され、ロアーホリゾントピットＰの幅が約１ｍ、深さが約０．５ｍに形成されている。
【００３３】
上記に構成されたスタジオ装置２０に、上述した本実施形態のスタジオ用警報装置１０が設置される。すなわち、人が落下する虞のある段の内部および人が進入する段の縁部の間に、本実施形態では、図４、図５に示すように、ロアーホリゾントピットＰの内部およびフロアＦの縁部の間に対し、本体１１が出し入れ可能に設けられてスタジオ装置が構成される。
【００３４】
本実施形態では、ロアーホリゾントピットＰの縁部、すなわち、ホリゾント面Ｈの反対側のロアーホリゾントピットＰの縁部に沿って、多数のスタジオ用警報装置１０が連接して設置される。そして、図１に示すように、ロアーホリゾントピットＰの縁部には、鉄製のアングルからなるガイドバーＧがフロアＦから隙間ｔを有して設置されている。この隙間ｔの寸法は、スタジオ用警報装置１０の平板状の本体１１を差し込むことができるように形成され、鎧戸状の可撓性を有する本体１１がその可撓性を利用して、折り曲げられながらロアーホリゾントピットＰの縁部からピットの内部、すなわち、底に向かってスライドしながら落とし込まれる。
【００３５】
この際、本体１１のケース体１５ａに設けられた係止部１５ｃが、ガイドバーＧの内面側に係止してストッパーの役目をなし（図１（ｂ））、本体１１全体がロアーホリゾントピットＰ内に落下しない。この状態で本体１１は、フロアＦから見えないようにロアーホリゾントピットＰ内に収納される。また、ケース体１５ａに設けられた取手１５ｂによって、本体１１を引き出すことができる（図１（ａ））。この際、センサ１４の両端に設けられた永久磁石からなる複数のストッパー１７が、鉄製のガイドバーＧの内面側に対し、その都度吸着するので、必要な長さにしたところで手を離せば、本体１１を必要な所定の位置に自動的に停止させることができる。さらに引き出すことによって取り外すこともできる。これにより、都度倉庫から出して電源に接続することがなく、設置や収納の手間を省き非常に便利であるとともに、スタジオのセットに応じた種々のエリアの警報を行うことが可能となる。
【００３６】
上記のようにして、本体１１は、ロアーホリゾントピットＰに対し、その可撓性を利用してスライドすることにより出し入れが可能で、かつ取り外しが可能になるように設けられる。なお、図５中、Ｓは、フロアＦの奥に設置されたセット（大道具）である。
【００３７】
次に、上記のスタジオ装置に設置されたスタジオ用警報装置の作動を説明する。
【００３８】
先ず、本番の前に本実施形態のスタジオ用警報装置１０を設置する。設置に際しては、予め決められた手順に従って、人が落下する虞のある段の内部および人が進入する段の縁部の間に、すなわち、本実施形態では、ロアーホリゾントピットＰの縁部に設置するスタジオ用警報装置１０を選び、本体１１のケース体１５ａに設けられた取手１５ｂによって、ロアーホリゾントピットＰから引き出す。この際、図５に示すように、セットＳを設置した場所等においては、セットＳの邪魔にならないように、本体１１を途中まで引き出す（図５中、１０−１で示す状態）。このとき、引き出した位置で手を離せば、永久磁石からなるストッパー１７とガイドバーＧの吸着によって、本体１１を自動的に所定の位置に停止させることができ、引き出し操作を簡単に行うことができる。また、必要のない場所等においては、本体１１を引き出さずに、ロアーホリゾントピットＰ内に落とし込んだままにする（図５中、１０−２で示す状態）。そして、引き出された本体１１に対し、電源を投入する。
【００３９】
そして、スタッフや出演者が、ロアーホリゾントピットＰの存在に気がつかず、万一、ロアーホリゾントピットＰに近づいてきて、本体１１を足で踏むと、センサ１４がその圧力を検知して検知信号、すなわち、人が指定エリアに入ったことの報知情報を、送受信部１３ｂを介して制御部１３ａに伝送する。
【００４０】
制御部１３ａは、この報知情報を基に警報音を出すための警報信号や警報光を発光させるための警報信号を生成し、送受信部１３ｂを介して、報知手段であるスピーカ１５と発光体１６に伝送する。そして、スピーカ１５は、伝送された警報信号に基づき所定の警報音、本実施形態においては、「止まってください。危険です。」と「注意。ホリピットがあります。」の音声を順番に繰り返して発し、指定エリアに入り危険であることを、その場所の足元で警報する。
【００４１】
さらに、同時に、発光体１６は、伝送された警報信号に基づき所定の警報光、本実施形態では、「赤色光の短時間点滅」を繰り返して発光し、指定エリアに入り危険であることを、その場所の足元で、上記音声とともに警報する。これにより、音声と光によって危険であることの警報を発することができ、ロアーホリゾントピットＰへの落下を防止することが可能になる。この場合、音声の音量は、踏んだ人が聞こえる程度にすることが好ましい。
【００４２】
また、一般見学者がいる場合においては、図５に一例を示すように、セットＳの手前に、本実施形態のスタジオ用警報装置１０を複数枚敷き詰めるように設置する（図５中、１０−３で示す）。これにより、一般見学者が誤ってセットＳに近づき、本体１１を足で踏み人が指定エリアに入ると、上記同様にして、例えば、スピーカ１５から「注意。セットがあります。」の音声を繰り返し発し、また発光体１６では「青色光の短時間点滅」を繰り返して発光するようにして、指定エリアに入り注意する必要があることを、その場所の足元で警報する。これにより、音声と光によって注意を喚起する警報を発することができ、人がセットＳに接触して倒したり破損を防止することが可能になる。
【００４３】
この際、スタジオ用警報装置１０は、ロアーホリゾントピットＰに対し、出し入れができるように設置されているので、ロアーホリゾントピットＰに設置されたものを引き出してセットＳの注意喚起用に使うこともでき、都度倉庫から出して電源に接続することがなく非常に便利である。これにより、本実施形態のスタジオ用警報装置１０は、ロアーホリゾントピットＰ以外の場所に移動させることで、他の場所における警報を行うこともでき、非常に便利である。
【００４４】
また、本実施形態において、送受信部１３ｂは、スタジオの中央制御室Ｃと有線または無線で接続されているので、制御部１３ａの制御状態が中央制御室Ｃに伝送され、別室の中央制御室Ｃでスタジオ内の状況を確認したり、監視をすることができる。このため、時と場合によって、発光状態、音声内容、表示文字等を適切に切り替えることが可能になる。また、例えば、スタジオ内の危険な場所若しくは注意喚起が必要な場所が判明するので、スタジオ内のスタッフに対して中央制御室Ｃから危険や注意喚起の情報を伝達して、事故を未然に防ぐことが可能になる。
【００４５】
また、中央制御室Ｃからの報知情報によって、制御部１３ａの遠隔制御を行うこともでき、ロアーホリゾントピットＰに予め設置された複数のスタジオ用警報装置１０における設置作業が自動的に行われる。例えば、本体１１を引き出すもの、途中まで引き出すもの、さらに引き出さないもの等を中央制御室Ｃで選択し、自動的に、その状態に設置することも可能になる。さらには、警報情報の音声内容、発光状態、さらには、表示状態等を適切に切り替えることも可能になる。
【００４６】
以上、本実施形態において、報知手段である発光体１６は、発光面をディスプレイで構成してもよい。すなわち、図６に示すように、本体１１は、上記同様にして、柔軟性素材からなるシート１１ａで構成し、さらに、発光体１６は、柔軟性を有する高輝度ディスプレイ３０で構成し、シート１１ａの上面に接着剤やねじ等の固定手段によって強固に固定し、本体１１全体が可撓性を有する平板状をなすように構成する。そして、例えば、「危険」という赤色等の文字をディスプレイ３０に表示するように構成する。この場合、センサ１４は、圧力センサを発光面にマトリックス状に配置して構成するとよい。これにより、発光面を一面で発光させたり、ブロック状に発光させたりするようにしてもよい。さらに、上記のような音と光による警報と組み合わせて構成することによって、「音・光・文字」により、一層、確実な警報を行うようにしてもよい。これにより、スタジオの本番中の騒音の中でも危険や注意を、さらに察知し易くなる。
【００４７】
また、本体１１をロアーホリゾントピットＰから引き出した距離を感知する装置を設けることによって、足を踏み入れた場所で、ロアーホリゾントピットＰに近い場合は、例えば、赤色で「危険。止まれ。」、少し離れた場所では、例えば、黄色で「注意」など、発光色や明るさ等を変えたり、音を変えたりするようにしてもよい。これにより、警報装置が作動しても、収録や本番にできるだけ影響を与えないようにすることが可能になる。
【００４８】
また、制御部１３ａで、発光、音声、文字等を制御するようにすれば、その場に応じた警報を行うことが可能になる。さらには、発光状態を選択することによって、照明の演出に使用することも可能になる。
【００４９】
また、本実施形態では、本体１１内部に設けられたセンサ１４および本体外部の中央制御室Ｃからの報知情報に応じて警報を発するように構成したが、本体内部のセンサ１４のみ、または、中央制御室Ｃからの報知情報のみによって、落下防止警報装置、すなわち、スタジオ用警報装置を構成したものであってもよい。
【実施形態２】
【００５０】
本実施形態は、可撓性を有する平板状をなし、人が落下する虞のある段の内部および人が進入する段の縁部の間に、その可撓性を利用して出し入れ可能に設けられた本体と、本体に設けられ警報を発する報知手段により落下防止警報装置を構成したものである。
【００５１】
より具体的には、可撓性を有する平板状をなし、ホリゾント面を有するスタジオのロアーホリゾントピットに対し、その可撓性を利用してスライドすることにより出し入れ可能に設けられた本体と、本体に設けられ警報を発する報知手段によりスタジオ用警報装置を構成したものである。
【００５２】
換言すれば、実施形態１におけるセンサ１４、スピーカ１５、電源部１３の送受信部１３ｂを搭載しないで構成したスタジオ用警報装置１０を構成したもので、以下、図７に実施形態１と同一部分に同一符号を付し、詳細は省略して説明する。
【００５３】
すなわち、図７（ａ）に示すように、本体１１は、実施形態１と同様に、柔軟性素材からなるシート１１ａで構成され、電源部１３は、制御部１３ａのみによって構成し、制御部１３ａは、各種の警報光を出すための信号を生成する。
【００５４】
発光体１６は、本実施形態の報知手段を構成し、例えば、細く長いテープ状のＬＥＤや有機ＥＬで構成され、この複数の発光体１６が本体１１の上面に配設され、制御部１３ａで生成される警報光の信号に応じて、例えば、「赤色の点滅光」を放射する。
【００５５】
テープ状の発光体１６は、シート１１ａの表面に対し、接着剤やねじ等の固定手段によって強固に取り付けられる。これにより、本体１１は、複数の発光体１６の境目が折れ線となった鎧戸状に形成され、シート１１ａが柔軟性を有していることと相まって、本体１１が全体として可撓性を有するように構成される。
【００５６】
上記に構成された落下防止警報装置、すなわち、スタジオ用警報装置１０は、図７（ｂ）の回路ブロック図に示すように、電源Ｅに接続された制御部１３ａからなる電源部１３と発光体１６で構成され、制御部１３ａで生成された警報光の信号を発光体１６に伝送する。そして、発光体１６は、伝送された信号に基づき所定の警報光で発光する。
【００５７】
上記に構成された本実施形態のスタジオ用警報装置１０は、実施形態１と同様にして、ロアーホリゾントピットＰやセットＳに対し配設されてスタジオ装置が構成される。これにより、ロアーホリゾントピットＰとセットＳの手前側が、スタジオ用警報装置１０によって赤色に点滅するので、スタジオ内の人は、危険であることや近づいてはいけないことがわかり、ロアーホリゾントピットＰへの落下やセットＳを倒したり破損したりすることが防止される。
【００５８】
本実施形態によれば、本体は可撓性を有しているので、実施形態１と同様に、ロアーホリゾントピットＰへ設置することも可能になり、さらに、ロアーホリゾントピットＰに設置したものを利用して、セットＳ等への警報装置にそのまま使用することができ、便利なスタジオ用警報装置１０を提供することが可能になる。さらに、本体１１は可撓性を有しているので、多少凸凹があるフロア面等に対しても柔軟に対応して設置することができ、自由に折り曲げて使用することができることから、一層、便利なスタジオ用警報装置１０を提供することが可能になる。
【００５９】
また、本実施形態において、実施形態１の図６に示すように、「危険」等の文字を表示するようにしてもよい。さらに、報知手段として実施形態１と同様に、スピーカを設け、音声によって警報を行うようにしてもよい。この場合、スタジオの収録等に影響が出ないように、足元で聞こえるような小さな音で警報を発するように構成するとよい。以上、その他の構成・作動・作用効果・変形例等は、実施形態１と同様である。
【００６０】
以上、本発明の好適な実施形態を説明したが、本発明は上述の各実施形態に限定されることなく、例えば、実施形態１と実施形態２の落下防止警報装置、すなわち、スタジオ用警報装置を組み合わせてスタジオ装置を構成するなど、本発明の要旨を逸脱しない範囲内において、種々の設計変更を行うことができる。
【符号の説明】
【００６１】
１０  落下防止警報装置（スタジオ用警報装置）
１１  本体
１４  センサ
１５、１６  報知手段
２０  スタジオ装置
Ｈ  ホリゾント面
Ｐ  ロアーホリゾントピット
Ｆ  フロア
【図１】
2014160364.tif 000003
【図２】
2014160364.tif 000004
【図３】
2014160364.tif 000005
【図４】
2014160364.tif 000006
【図５】
2014160364.tif 000007
【図６】
2014160364.tif 000008
【図７】
2014160364.tif 000009